(57)【特許請求の範囲】
【請求項１】
試料液中に含まれる基質を定量するためのバイオセンサであって、
絶縁性基板と、
前記絶縁性基板の一方の面に設けられた作用極および対極を含む、基質を定量するための第１電極と、
前記絶縁性基板の一方の面に設けられた作用極および対極を含む、前記基質以外の対象物を交流法を用いて定量するための第２電極と、
前記第１電極の前記絶縁性基板と反対側の表面の少なくとも一部に形成された、前記基質と反応する酵素、および、電極活物質を含む試薬層と、
前記試料液を前記試薬層に誘導するキャビティを形成するための切欠部を有し、該切欠部の内部に前記試薬層が位置するように前記第１電極および前記第２電極の上に配置されたスペーサと、
少なくとも前記切欠部を覆うように、前記スペーサの前記絶縁性基板と反対側の面に設けられたカバーとを備え、
前記キャビティは、前記試料液を導入するための開口を有し、
前記第２電極は前記第１電極よりも前記キャビティの前記開口に近い位置に設置され、
少なくとも前記第２電極の表面には電極活物質が存在せず、
前記基質以外の対象物はヘマトクリットを含み、
前記交流法に用いられる交流電圧の周波数が１０ｋＨｚ以上５００ｋＨｚ以下の範囲内の少なくとも１つの周波数であり、
前記交流法において、前記第２電極に前記交流電圧が印加され、応答電流が計測され、
前記キャビティは、前記試薬層と前記第２電極の前記キャビティ内に露出した部分との間において前記絶縁性基板の主面方向に括れた形状を有する、バイオセンサ。
【発明の詳細な説明】
【技術分野】
【０００１】
本発明は、電気化学法を用いたバイオセンサに関する。
【背景技術】
【０００２】
血糖値センサなどのグルコースセンサのように、電気化学法を利用した各種のバイオセンサが知られている。
【０００３】
例えば、バイオセンサのキャビティ（スペーサに形成された溝によって形成される空間）に、検体（血液など）を導入すると、検体に含まれる成分（基質）が、酵素を介してメディエータ（電極活物質）を還元する。ここで、電極に所定の電圧を印加すると、電気化学反応により、還元されたメディエータが逆に酸化される。このとき発生する酸化電流を測定することで、着目する成分の量を検出できる。
【０００４】
このようなバイオセンサは、一般に、少なくとも作用極と対極を含む２つ以上の電極を備えており、電極上に、キャビティを形成するためのスペーサを貼り合わせたのち、キャビティの一部に酵素、メディエータなどを含む試薬層を形成し、カバーを貼り合わせてなる構造を有している。
【０００５】
ここで、血液試料を用いたグルコース測定の場合、血液中には赤血球などの血球が含まれている。グルコース由来の酸化電流の大きさは、血液試料中の血球の容積の割合を示すヘマトクリット値の大きさに影響を受けることが知られている。
【０００６】
また、近年、少量の血液試料を用いて短時間で血液試料中の基質の定量分析を行うことが要望されており、バイオセンサ（センサチップ）には、少量の血液試料が供給されるように、より小さな容積のキャビティが形成されている。このため、バイオセンサのキャビティの容積が小さく、測定に用いられる血液試料が少量であるため、計測対象である酸化電流の大きさが小さい。
【０００７】
したがって、バイオセンサにより計測される酸化電流には血液試料のヘマトクリット値に依存した誤差が含まれるが、計測される酸化電流の大きさが小さく、酸化電流に含まれるヘマトクリット値に依存した誤差の割合が相対的に大きくなるので、ヘマトクリット値に依存する誤差を無視することができない。
【０００８】
そこで、これらヘマトクリット値を交流法により、血漿もしくは血球量を測定しヘマトクリット値を換算し、換算されたヘマトクリット値に基づく補正を行うことにより、血液試料中の基質の定量分析の高精度化を図る試みが為されている（例えば、特開昭６２−２５２６２号公報（特許文献１）、特願昭６３−１３３０６２号公報（特許文献２））。
【先行技術文献】
【特許文献】
【０００９】
【特許文献１】特開昭６２−２５２６２号公報
【特許文献２】特願昭６３−１３３０６２号公報
【発明の概要】
【発明が解決しようとする課題】
【００１０】
しかしながら、本発明者らの検討により、特許文献１および２のようにヘマトクリット値を交流法で測定する際に、試料液中にメディエータ（電極活物質）が存在するときには電極活物質が測定されてしまい、血球（ヘマトクリット値）や血漿を正確に測定することが困難になってしまうことが判明した。
【００１１】
本発明は、上記課題に鑑みてなされたものであり、従来よりもさらに高精度な測定が可能なバイオセンサを提供することを目的とする。
【課題を解決するための手段】
【００１２】
［１］  試料液中に含まれる基質を定量するためのバイオセンサであって、
絶縁性基板と、
前記絶縁性基板の一方の面に設けられた作用極および対極を含む、基質を定量するための第１電極と、
前記絶縁性基板の一方の面に設けられた作用極および対極を含む、前記基質以外の対象物を交流法を用いて定量するための第２電極と、
前記第１電極の前記絶縁性基板と反対側の表面の少なくとも一部に形成された、前記基質と反応する酵素、および、電極活物質を含む試薬層と、
前記試料液を前記試薬層に誘導するキャビティを形成するための切欠部を有し、該切欠部の内部に前記試薬層が位置するように前記第１電極および前記第２電極の上に配置されたスペーサと、
少なくとも前記切欠部を覆うように、前記スペーサの前記絶縁性基板と反対側の面に設けられたカバーとを備え、
少なくとも前記第２電極の表面には電極活物質が存在しないことを特徴とする、バイオセンサ。
【００１３】
［２］  前記キャビティは、前記試料液を導入するための開口を有し、
前記第２電極は前記第１電極よりも前記キャビティの前記開口に近い位置に設置される、［１］に記載のバイオセンサ。
【００１４】
［３］  前記キャビティは、前記試薬層と前記第２電極の前記キャビティ内に露出した部分との間において括れた形状を有する、［１］または［２］に記載のバイオセンサ。
【００１５】
［４］  前記交流法に用いられる交流電圧の周波数が１ｋＨｚ以上３０ＭＨｚ以下の範囲内の少なくとも１つの周波数である、［３］に記載のバイオセンサ。
【発明の効果】
【００１６】
本発明によれば、従来よりもさらに高精度な測定が可能なバイオセンサを提供することができる。
【図面の簡単な説明】
【００１７】
【図１】実施形態１のバイオセンサの構成を示す分解斜視図である。
【図２】実施形態１のバイオセンサの構成を示す斜視図である。
【図３】実施形態１のバイオセンサの構成を示す部分拡大図である。
【図４】実施形態１のバイオセンサの変形例の構成を示す部分拡大図である。
【図５】実施形態１のバイオセンサの測定工程の一例を説明するためのフロー図である。
【図６】実施例１の測定方法を説明するための模式図である。
【図７】実施例１の測定結果を示すグラフである。
【図８】比較例１の測定結果を示すグラフである。
【図９】実施例２の測定結果を示すグラフである。
【図１０】比較例２の測定結果を示すグラフである。
【図１１】実施例３の測定結果を示すグラフである。
【図１２】実施例４の測定結果を示すグラフである。
【図１３】実施例４の測定結果を示す別のグラフである。
【図１４】実施例４の測定結果におけるｃｖ値を示すグラフである。
【発明を実施するための形態】
【００１８】
以下、本発明の実施形態について、図面を参照して説明する。なお、図面において、同一の参照符号は、同一部分または相当部分を表す。また、長さ、幅、厚さ、深さなどの寸法関係は図面の明瞭化と簡略化のために適宜変更されており、実際の寸法関係を表すものではない。各実施形態は例示であり、異なる実施形態で示した構成の部分的な置換または組み合わせが可能であることは言うまでもない。
【００１９】
［実施形態１］
図１〜図３を参照して、本実施形態のバイオセンサは、試料液中に含まれる基質を定量するためのバイオセンサであって、絶縁性基板１と、基質を電気化学的に定量するための第１電極（作用極２１および対極２２）と、基質以外の対象物を交流法で定量するための第２電極（作用極２３および対極２４）と、試薬層３と、スペーサ４と、カバー５とを備える。
【００２０】
第２電極で定量される基質以外の対象物の測定としては、例えば、血球量（ヘマトクリット）の測定、測定機へのバイオセンサ（センサチップ）挿入の検知、バイオセンサへの検体導入の検知、周辺環境温度（空気の温度）の測定などが挙げられる。
【００２１】
第１電極は、絶縁性基板１の一方の面に設けられた作用極２１および対極２２を含む。第２電極は、絶縁性基板１の一方の面に設けられた作用極２３および対極２４を含む。試薬層３は、第１電極の絶縁性基板１と反対側の表面の一部に形成され、少なくとも基質と反応する酵素、および、電極活物質（メディエータ）を含んでいる。
【００２２】
スペーサ４は、試料液を試薬層３に誘導するキャビティ４１を形成するための切欠部４２を有し、キャビティ４１の内部に試薬層３が位置するように電極上に配置される。
【００２３】
カバー５は、少なくとも切欠部４２を覆うように、スペーサ４の絶縁性基板１と反対側の面に設けられる。また、カバー５は、キャビティ４１に連通する空気孔５ａを有している。
【００２４】
本実施形態のバイオセンサは、基質以外の対象物の測定に用いられる第２電極（作用極２３および対極２４）の表面に、電極活物質が存在しないことを特徴としている。なお、電極の表面のうち、少なくともキャビティ４１内に露出している部分２３ａ，２４ａに電極活物質が存在しないことが好ましい。
【００２５】
これにより、第２電極によって基質以外の対象物を交流法で定量する際に、血電極活物質が測定されてしまうことによる誤差の発生を防止でき、基質以外の対象物の測定精度を高めることができる。
【００２６】
また、そのような基質以外の対象物の測定は、基質の定量値を補正する等の基質の定量値の測定精度を高めることを目的として実施される場合が多く、基質以外の対象物の測定精度が向上することにより、基質の測定精度も向上させることができる。
【００２７】
また、キャビティ４１は、試料液を導入するための開口４１ｃ（図２参照）を有し、第２電極（作用極２３および対極２４）は第１電極（作用極２１および対極２２）よりもキャビティ４１の開口４１ｃに近い位置に設置されている。このようにキャビティ４１の奥側に第１電極（基質測定用電極）を設置し、第１電極上にメディエータを含む試薬層を形成することより、測定時において、試料液はキャビティ４１の開口４１ｃから供給されるため、第２電極は第１電極よりも先に試料液に接触することになる。すなわち、試薬層３に含まれる電極活物質が試料液中に溶解する前に、試料液のヘマトクリット値を測定することが可能である。したがって、より確実にヘマトクリット測定電極付近に電極活物質が存在しないようにすることができ、基質以外の対象物の測定精度を高めることができるため、結果的に基質の測定精度も向上させることができる。
【００２８】
本実施形態の変形例として、図４に示されるように、キャビティ４１は、試薬層３と第２電極（作用極２３および対極２４）のキャビティ４１内に露出した部分２３ａ，２４ａとの間において括れ４１ａを有する形状であってもよい。このような括れ４１ａを設けることで、試薬層３に含まれる電極活物質が第２電極側に移動することを防止でき、より確実に基質以外の対象物の測定精度を高めることができるため、結果的に基質の測定精度も向上させることができる。
【００２９】
本実施形態において、基質（分析対象物）としては、例えば、グルコース（血糖）、乳酸、コレステロール、アルコール、ザルコシン、フルクトシルアミン、ピルビン酸、乳酸、ヒドロキシ酪酸が挙げられる。
【００３０】
絶縁性基板１の材料としては、特に限定されないが、ＰＥＴ（ポリエチレンテレフタレート）フィルムなどのプラスチック材料、感光性材料、紙、ガラス、セラミック、または、生分解性材料などが挙げられる。これらの材料は、スペーサ４、カバー５の材料としても用いられる。
【００３１】
絶縁性基板１上には、少なくとも基質を電気化学的に定量するための第１電極（作用極２１および対極２２）と、基質以外の対象物を交流法で定量するための第２電極（作用極２３および対極２４）とが設けられている。絶縁性基板１上には、第１電極および第２電極以外に、電極電位の測定時に電位の基準となる参照電極や、キャビティ４１に試料が供給されたことを検知するための検知電極などが設けられていてもよい。
【００３２】
これらの電極（作用電極、対極、参照極、検知用電極など）の材料としては、白金、金、パラジウムなどの貴金属、カーボン、銅、アルミニウム、ニッケル、チタン、ＩＴＯ（Indium  Tin  Oxide：酸化インジウム錫）、ＺｎＯ（酸化亜鉛）などが挙げられる。電極は、例えば、スクリーン印刷や、スパッタリング法を用いて絶縁性基板１の一方の面に上記材料からなる導電層を形成し、さらに、レーザー加工、フォトリソグラフィーなどを用いてパターン形成することにより、作製することができる。なお、電極および絶縁性基板１の表面にプラズマ処理を施しておいてもよい。
【００３３】
本実施形態において、試薬層３は、第１電極（作用極２１および対極２２）の表面のうちキャビティ４１内に露出する部分２１ａ，２２ａの一部に形成されている。試薬層３は、例えば、試薬液を滴下し、試薬液を乾燥させることによって形成することができる。なお、例えば、酵素液、電極活物質（メディエータ）液などを順に滴下した後にそれらを乾燥して試薬層３を形成してもよく、酵素、電極活物質などを含む混合液を滴下した後にそれらを乾燥して試薬層３を形成してもよい。
【００３４】
酵素としては、例えば、グルコースオキシダーゼ、グルコースデヒドロゲナーゼ、アルコールオキシダーゼ、アルコールデヒドロゲナーゼ、乳酸オキシダーゼ、乳酸デヒドロゲナーゼ、コレステロールエステラーゼ、コレステロールオキシダーゼ、ザルコシンオキシダーゼ、フルクトシルアミンオキシダーゼ、ピルビン酸オキシダーゼ、ヒドロキシ酪酸デヒドロゲナーゼ、クレアチニナーゼ、クレアチナーゼ、ＤＮＡポリメラーゼが挙げられる。これらの酵素を、主たる測定対象物質である基質（グルコース、アルコール、乳酸、コレステロール、ザルコシン、フルクトシルアミン、ピルビン酸、ヒドロキシ酪酸など）に応じて選択することで、種々のバイオセンサを作製することができる。
【００３５】
例えば、グルコースオキシダーゼまたはグルコースデヒドロゲナーゼを用いれば血液試料中のグルコースを検出するグルコースセンサを作製でき、アルコールオキシダーゼまたはアルコールデヒドロゲナーゼを用いれば血液試料中のエタノールを検出するアルコールセンサを作製でき、乳酸オキシダーゼを用いれば血液試料中の乳酸を検出する乳酸センサを作製でき、コレステロールエステラーゼとコレステロールオキシダーゼとの混合物を用いれば総コレステロールセンサを作製できる。
【００３６】
電極活物質（メディエータ）とは、作用極２１と対極２２との間の電子伝達を仲介する化合物（電子伝達体）であり、それ自体が酸化還元反応を行う物質であることが好ましい。電極活物質としては、例えば、フェリシアン化カリウム、フェロセン、フェロセン誘導体、ベンゾキノン、キノン誘導体、オスミウム錯体、ルテニウム錯体などを用いることができる。
【００３７】
試薬層３は、親水性高分子を含んでいてもよい。この場合、試薬層３を電極層の表面へ容易に固定化することができる。また、親水性高分子は、試料液中の夾雑物（血液中の血球など）をろ過するろ過剤としても機能する。ただし、本実施形態のバイオセンサでは、血球量に応じて血糖値の値を補正することができるため、血液中の血球などをろ過する必要がなく、試薬層に親水性高分子を配合する必要がないという利点を有している。
【００３８】
親水性高分子としては、特に限定されないが、例えば、カルボニル基、アシル基、カルボキシル基、アルデヒド基、スルホ基、スルホニル基、スルホキシド基、トシル基、ニトロ基、ニトロソ基、エステル基、ケト基、ケテン基を有する親水性高分子が挙げられる。カルボキシル基を有する親水性高分子としては、例えば、カルボキシメチルセルロース、カルボキシメチルエチルセルロースが挙げられ、好ましくはカルボキシメチルセルロース（ＣＭＣ）である。
【００３９】
また、試薬層３は、検体導入を促進するための親水化剤などを含んでいてもよい。親水化剤としては、例えば、ＴｒｉｔｏｎＸ１００、Ｔｗｅｅｎ２０、ビス（２−エチルヘキシル）スルホコハク酸ナトリウムなどの界面活性剤、レシチンなどのリン脂質が挙げられる。親水化剤は、上記の試薬に混ぜて滴下してもよいし、上記の試薬層の上からさらに滴下してもよい。また、後述のカバーに親水化剤を形成しても良い。
【００４０】
カバー５の材料は、絶縁性材料であることが好ましく、例えば、ＰＥＴフィルムなどプラスチック、感光性材料、紙、ガラス、セラミック、生分解性材料を用いることができる。
【００４１】
なお、カバー５は、スペーサ４によって形成されるキャビティ４１と連通する空気孔５ａを有していることが好ましい。試料液の拡散だけでなく、毛細管現象により試料が空気孔５ａに向かって吸引されて、キャビティ４１内への試料の導入が容易になるからである。
【００４２】
（バイオセンサの使用方法）
以下、本実施形態のバイオセンサの使用方法の一例として、血液試料中のグルコースを定量する計測処理の一例について、図５を参照して説明する。
【００４３】
まず、本実施形態のバイオセンサ（バイオチップ）は、専用の測定器に装着される。バイオセンサ１００が装着されたことを測定器が検出すると、バイオセンサ１００のキャビティ４１に血液試料が供給されたことを検出するための血液試料検知用の電極（図示せず）に血液試料検知用の電圧が印加される（ステップＳ１）。
【００４４】
次に、キャビティ４１の先端部分（開口４１ｃ）に血液を接触させ、血液を、毛細管現象を利用してキャビティ４１内部に導入する。キャビティ４１に血液試料が供給されて血液試料検知用の電極が血液試料により液絡すると、電極の抵抗値が変化し、電極に流れる電流が増大するため、電流値の変化からキャビティ４１に血液試料が供給されたことが検知される（ステップＳ２）。
【００４５】
キャビティ４１に血液試料が供給されたことが検出されると、ヘマトクリット値（Ｈｃｔ）測定用の作用極２３と対極２４との間にＨｃｔ測定用の交流電圧が印加され（ステップＳ３）、応答電流が所定のタイミングで計測される（ステップＳ４）。このように、このステップＳ３およびＳ４におけるヘマトクリット値の測定には交流法が用いられる。
【００４６】
交流法に用いられる交流電圧の周波数は、好ましくは１ｋＨｚ以上３０ＭＨｚ以下の範囲内の少なくとも１つの周波数であり、より好ましくは１ｋＨｚ以上２０ＭＨｚ以下の範囲内の少なくとも１つの周波数であり、さらに好ましくは１ｋＨｚ以上１０ＭＨｚ以下の範囲内の少なくとも１つの周波数である。この範囲内の周波数の交流電圧を用いて応答電流、インピーダンス（交流回路におけるフェーザ表示された電圧と電流の比）等を測定することで、試料液中の（基質以外の）物質濃度の測定を再現性良く高精度に測定することができる
そして、次式：
ヘマトクリット（％）＝１００−［血液中の血漿の体積比率］（％）
から、血液中の血漿の体積比率をヘマトクリット（血液中の血球の体積比率）に換算することで、ヘマトクリット値を求めることができる。
【００４７】
なお、測定に用いる交流の周波数は１つのみであることが好ましい。交流発生装置が１つである場合、測定に用いる交流の周波数が複数になると、その分測定回数が増えるが、測定に用いる交流の周波数を１つのみとすることで、測定回数が１回で済むため、測定時間を短縮することができる。
【００４８】
次に、グルコース濃度（血糖値）測定用の作用極２１と対極２２との間に血糖値測定用の電圧（例えば０．３Ｖ）が印加され（ステップＳ５）、電圧が印加されてから所定時間（例えば、３〜５秒）経過後の酸化電流の電流値が計測される（ステップＳ６）。
【００４９】
すなわち、血液試料が拡散または毛細管現象により試薬層３まで供給されると、血液試料中のグルコースと酵素および電極活物質（メディエータ）とが反応することで還元物質が生成する。ここで、血糖値測定用の作用極２１および対極２２と電気的に接続された測定器により、作用極２１と対極２２との間に電圧を印加し、この還元物質（電極活物質の還元体）を酸化することにより得られる酸化電流を計測する。ことで、血液試料中に含まれるグルコースの定量が行われる。
【００５０】
そして、計測された応答電流の電流値に基づいて導出されたヘマトクリット値、および、計測された酸化電流の電流値と、所定の換算式とに基づいて血液試料に含まれるグルコースの定量が行われる。すなわち、ヘマトクリット値を用いて補正されたグルコースの定量値が求められる。
【００５１】
このように、本実施形態のバイオセンサを用いた計測処理により、還元物質の酸化電流とヘマトクリット値とに基づいて測定対象物質の定量が行われるため、血液試料のヘマトクリット値の影響を除去して精度よくグルコースの定量を行うことができる。
【実施例】
【００５２】
以下、実施例を挙げて本発明をより詳細に説明するが、本発明はこれらに限定されるものではない。
【００５３】
（実施例１）
基本的には、上記実施形態１で説明した図１〜図３に示されるような構成を有するバイオセンサを試験用センサ１として作製した。ただし、本実施例ではヘマトクリット値の測定だけを行うため、試薬層３は形成しなかった。
【００５４】
なお、試験用センサ１では、電極の材料としては金を用い、スパッタリング法によって金からなる金属膜を形成し、これをパターン形成することにより、グルコース測定用電極（電極膜）とヘマトクリット測定用電極（電極膜）とを作製した。なお、絶縁性基板１およびスペーサの材質はポリエチレンテレフタレートである。
【００５５】
次に、ヘマトクリット値の測定対象となる試料液（血球含有液のモデルサンプル）として、０、２０、４０および７０体積％のいずれかの濃度のビーズ（ポリスチレン製、体積平均粒径８μｍ、略真球状）を含む懸濁液（分散媒：１００ｍＭリン酸緩衝液）を用意した。なお、このビーズの平均粒径は、血球に近い大きさである。
【００５６】
測定は、図６に示されるように、バイオセンサ（センサチップ）１００のヘマトクリット測定用電極に直列に抵抗（３３０ｋΩ）を接続した状態で行った。上記試料液（懸濁液）を、試験用センサ１および比較センサ１のバイオセンサのキャビティ内に供給し、ヘマトクリット測定用電極の作用極２３と対極２４との間に７．０８Ｖｐｐの交流電圧（入力電圧Ｖｉｎ）を印加して、抵抗にかかる電圧を出力値（出力電圧Ｖｏｕｔ）としてオシロスコープで測定した。この出力電圧は１０波長分の平均的なところを目測で設定し、測定を行った。なお、測定周波数は１ｋＨｚ〜５０ＭＨｚ、測定温度は室温（約２５℃）とした。そして、出力電圧Ｖｏｕｔと抵抗（３３０ｋΩ）とからオームの法則により電流値を求めた。
【００５７】
（比較例１）
比較として、上記試料液の代わりに、電極活物質を含む比較試料液を用いて、実施例１と同様に交流法による電流値の測定を行った。なお、比較試料液は、健常人で標準的な血糖値濃度である１００ｍｇ／ｄＬのグルコースが反応した時にできる電極活物質の濃度になるように、電極活物質（フェリシアン化カリウム２８０ｍＭ、および、フェロシアン化カリウム６６ｍＭ）が添加されている点以外は、上記試料液と同様である。
【００５８】
実施例１（電極活物質なし）および比較例１（電極活物質あり）の測定結果を、それぞれ図７および図８に示す。
【００５９】
図７および図８に示されるように、電極活物質が存在する場合（図８）は、この電極活物質が測定されてしまうため、電極活物質が存在しない場合（図７）に比べて、ビーズ濃度の増加に対する電流値の減少はあまり変わらないものの、全体の電流量が増加している。このことから、電極活物質が存在する場合は、ビーズの量に対する応答性（測定精度）が低下することが分かる。
【００６０】
また、図７および図８に示される結果から、交流電圧の周波数が１ｋＨｚ以上２０ＭＨｚ以下の範囲内である場合、試料液中の粒子（ビーズ）濃度の増加に応じて電流値が低下する傾向が見られる。なお、これは、この周波数範囲の交流電圧を印加した場合、試料液中のビーズ以外の液体部分の量に応じた応答電流が測定されているためであると考えられるが、ビーズ等の固体成分の量に応じた応答電流を測定するよりも、このように液体部分の量に応じた応答電流を測定する方が固体の形状や分布等による影響を受けず、試料液中の（基質以外の）物質濃度の測定を再現性良く高精度に測定することができると考えられる。
【００６１】
（実施例２）
試料液の代わりに、所定の血球濃度（０、２０、４０および７０体積％）の血球を含む綿羊血を用いた以外は、実施例１と同様にして、交流法による電流値の測定を行った。なお、綿羊血としては、綿羊血を一旦、１０００×ｇ、１０ｍｉｎで遠心分離し、血球成分と液体の血漿成分に分け、体積比で０、２０、４０および７０％になるように再調製したものを用いた。
【００６２】
（比較例２）
比較として、上記綿羊血の代わりに、電極活物質を含む綿羊液を用いて、実施例２と同様に交流法による電流値の測定を行った。なお、電極活物質は比較例１と同様に添加した。
【００６３】
実施例２（電極活物質なし）および比較例２（電極活物質あり）の測定結果を、それぞれ図９および図１０に示す。
【００６４】
図９および図１０に示されるように、電極活物質が存在する場合（図１０）は、電極活物質が存在しない場合（図９）に比べて、血球濃度の増加に対する電流値の減少はあまり変わらないものの、全体の電流量が増加しているため、ビーズの量に対する応答性は低下していることが分かる。
【００６５】
また、図９および図１０に示される結果から、交流電圧の周波数が１ｋＨｚ以上１０ＭＨｚ以下の範囲内である場合、綿羊血中の血球濃度の増加に応じて電流値が低下する傾向が見られる。
【００６６】
（実施例３）
綿羊血の代わりに人血を用いた以外は、実施例２と同様にして、交流法による電流値の測定を行った。ただし、入力電圧のセンターは１．２５Ｖとし、入力電圧は１．６Ｖｐｐとした。なお、入力電圧を実施例２から変更したのは、本実験ではファンクショインジェネレータを介して電圧を印加し、オシロスコープで測定しているが、実際の血糖値測定器の要求性（測定レンジ）を考慮し、その条件に合わせたためである。測定結果を図１１に示す。
【００６７】
図１１に示される結果から、人血の場合でも、綿羊血の場合（図９：実施例２）と類似の応答性が示されることが分かる。また、交流電圧の周波数が１ｋＨｚ以上３０ＭＨｚ以下の範囲内である場合、人血中の血球濃度の増加に応じて電流値が低下する傾向が見られる。
【００６８】
（実施例４）
１００ｋＨｚ周辺の周波数の交流電圧を用いた場合について、実施例３と同様にして、交流法による測定を行った。なお、交流電圧の周波数は、０．１，１，３，５，１０，２０，５０，１００，２００および５００とした。また、再現性を評価するために、全ての測定について１０回の測定を行った。ただし、出力電圧から電流値への変換は行わず、出力電圧を結果として示した。
【００６９】
図１２に、１０回の測定の平均値から作成した、周波数を横軸、出力電圧を縦軸とするグラフを示す。また、図１３に、血球濃度を横軸、インピーダンスの変化量（血球濃度０％の時の出力値から、各血球濃度２０、４０および７０％での出力値を引いたときの値）を縦軸とするグラフを示す。さらに、図１４に、各測定において、１０回の測定についてのＣＶ値を示すグラフを示す。
【００７０】
図１２に示される結果から、交流電圧の周波数の増加に伴って出力電圧が増加するが、交流電圧の周波数が５０ｋＨｚ（もしくは１００ｋＨｚ）程度で出力電圧がプラトーに達することが分かる。従って、１００ｋＨｚより高い周波数の交流電圧を用いても、あまり効率的に測定精度を高めることはできないと考えられる。
【００７１】
図１３に示される結果から、交流電圧の周波数が１ｋＨｚ以上であれば、血球濃度に対する応答性があることが分かる。また、交流電圧の周波数が１０ｋＨｚ以上５００ｋＨｚ以下の場合に、血球濃度に対する比例関係が良好である（グラフの直線性が高い）ことが分かる。
【００７２】
図１４に示される結果から、交流電圧の周波数が３ｋＨｚ以上の場合に、ＣＶ値が２％以内に収まっていることが分かる。
【符号の説明】
【００７３】
１  絶縁性基板、１００  バイオセンサ、２１  （第１電極の）作用極、２２  （第１電極の）対極、２３  （第２電極の）作用極、２４  （第２電極の）対極、３  試薬層、４  スペーサ、４１  キャビティ、４１ｃ  開口、４２  切欠部、５  カバー、５ａ  空気孔、６  試料液。
【図１】
0006607437.tif 000002
【図２】
0006607437.tif 000003
【図３】
0006607437.tif 000004
【図４】
0006607437.tif 000005
【図５】
0006607437.tif 000006
【図６】
0006607437.tif 000007
【図７】
0006607437.tif 000008
【図８】
0006607437.tif 000009
【図９】
0006607437.tif 000010
【図１０】
0006607437.tif 000011
【図１１】
0006607437.tif 000012
【図１２】
0006607437.tif 000013
【図１３】
0006607437.tif 000014
【図１４】
0006607437.tif 000015